(57)【特許請求の範囲】
【請求項１】
複数の走査線と、複数のデータ線と、前記走査線と前記データ線との交差に対応してマトリックス状に配置された画素電極およびスイッチング素子とを有する電気光学パネルに用いられる駆動回路であって、
転送開始から一定期間だけアクティブとなる基準開始パルスを生成する基準開始パルス生成部と、開始パルスの転送方向に基づいて、前記基準開始パルスとこれを反転した反転基準パルスとのうちいずれか一方を選択して前記開始パルスを生成する選択部と、を有する開始パルス生成回路と、
前記開始パルス生成回路から供給される開始パルスの極性を判定し、判定結果に基づいて転送方向を指示する制御信号を生成するシフト方向選択部と、
縦続接続された複数の転送単位回路を有し、前記開始パルスを前記制御信号が指示する転送方向に順次シフトするシフト部と、
前記複数の転送単位回路の一部または全部に対応して設けた複数の演算単位回路を備え、各演算単位回路は、対応する転送単位回路の入力信号と出力信号とがともにアクティブとなる期間を特定する信号を生成する論理演算部と
を備える電気光学パネルの駆動回路。
【請求項２】
前記開始パルス生成回路は、前記複数の走査線が形成される方向及び前記複数のデータ線が形成される方向、それぞれについて前記開始パルスを生成する請求項１に記載の電気光学パネルの駆動回路。
【請求項３】
前記開始パルス生成回路の前記選択部には、前記開始パルスの転送方向を指示する選択信号が入力される請求項１または２に記載の電気光学パネルの駆動回路。
【請求項４】
前記開始パルスは、転送する方向と転送を開始するタイミングを含む信号である請求項１乃至３のうちいずれか１項に記載の電気光学パネルの駆動回路。
【請求項５】
前記シフト方向選択部は、前記開始パルスを積分して得られた論理レベルに基づいて前記制御信号を生成する請求項１に記載の電気光学パネルの駆動回路。
【請求項６】
前記シフト部は、前記開始パルスを初段の転送単位回路に供給するか終段の転送単位回路に供給するかを選択する選択部とを備える請求項１に記載の電気光学パネルの駆動回路。
【請求項７】
前記選択部は、初段の転送単位回路または終段の転送単位回路のいずれか一方に前記開始パルスを反転して供給することを特徴とする請求項６に記載の電気光学パネルの駆動回路。
【請求項８】
前記クロック信号は、第１クロック信号とこれを反転した第２クロック信号とを含み、
前記制御信号は、
第１制御信号とこれを反転した第２制御信号とを含み、前記転送単位回路は、制御入力端子を各々備え、前記制御入力端子の電圧が第１論理レベルの場合に入力信号を反転した出力信号を出力する一方、前記制御入力端子の電圧が第２論理レベルの場合に出力端子をハイインピーダンス状態にする第１乃至第４インバータを有し、
前記第１インバータは、入力端子が接続点と接続されるとともに前記制御入力端子に前記第２制御信号が供給され、
前記第２インバータは、入力端子が前記接続点と接続されるとともに前記制御入力端子に前記第１制御信号が供給され、
前記第３インバータは、出力端子が前記接続点と接続されるとともに前記第１インバータの出力端子と入力端子が接続され、
前記第４インバータは、前記接続点と出力端子が接続されるとともに前記第２インバータの出力端子と入力端子が接続され、
複数の前記転送単位回路のうち、奇数段目の前記第３インバータおよび偶数段目の前記第４インバータの制御入力端子には前記第１クロック信号が供給される一方、偶数段目の前記第３インバータおよび奇数段目の前記第４インバータの制御入力端子には前記第２クロック信号が供給される
ことを特徴とする請求項１に記載の電気光学パネルの駆動回路。
【請求項９】
請求項１、５乃至８のうちいずれか１項に記載の駆動回路と、
前記駆動回路から出力される各選択信号に基づいて、入力画像信号をサンプリングして前記各データ線に供給することを特徴とするデータ線駆動回路。
【請求項１０】
請求項１、５乃至８のうちいずれか１項に記載の駆動回路を備え、当該駆動回路から出力される各選択信号に基づいて、前記各走査線を駆動する走査線駆動回路。
【請求項１１】
複数の走査線と、複数のデータ線と、前記走査線と前記データ線との交差に対応してマトリックス状に配置された画素電極およびスイッチング素子とを有する画素領域と、
請求項９に記載したデータ線駆動回路と、
前記走査線を駆動するための走査線駆動回路と
を備えた電気光学パネル。
【請求項１２】
複数の走査線と、複数のデータ線と、前記走査線と前記データ線との交差に対応してマトリックス状に配置された画素電極およびスイッチング素子とを有する画素領域と、
前記データ線を駆動するためのデータ線駆動回路と、
請求項１０に記載の走査線駆動回路と
を備えた電気光学パネル。
【請求項１３】
複数の走査線と、複数のデータ線と、前記走査線と前記データ線との交差に対応してマトリックス状に配置された画素電極およびスイッチング素子とを有する電気光学パネルの駆動方法であって、
転送開始から一定期間だけアクティブとなる基準開始パルスを生成し、
開始パルスの転送方向に基づいて、前記基準開始パルスとこれを反転した反転基準パルスとのうちいずれか一方を選択して前記開始パルスを生成し、
前記開始パルスの極性を判定し、判定結果に基づいて転送方向を指示する制御信号を生成し、
縦続接続された複数の転送単位回路によって前記開始パルスを前記制御信号が指示する転送方向に順次シフトし、
前記複数の転送単位回路の一部または全部に対応する転送単位回路の入力信号と出力信号とがともにアクティブとなる期間を特定する信号を生成する
ことを特徴とする電気光学パネルの駆動方法。
【請求項１４】
請求項１１または１２に記載した電気光学パネルを備えた電子機器。
【発明の詳細な説明】
【０００１】
【発明の属する技術分野】
本発明は、電気光学パネル、その駆動回路、駆動方法および電子機器に関する。
【０００２】
【従来の技術】
従来の電気光学装置、例えば、アクティブマトリクス方式の液晶表示装置は、主に、マトリクス状に配列した画素電極の各々にスイッチング素子が設けられた素子基板と、カラーフィルタなどが形成された対向基板と、これら両基板との間に充填された液晶とから構成される。このような構成において、走査線を介してスイッチング素子に走査信号を印加すると、当該スイッチング素子が導通状態となる。この導通状態の際に、データ線を介して、画素電極に画像信号を印加すると、当該画素電極および対向電極（共通電極）の間の液晶層に所定の電荷が蓄積される。電荷蓄積後、当該スイッチング素子をオフ状態としても、液晶層の抵抗が十分に高ければ、当該液晶層における電荷の蓄積が維持される。このように、各スイッチング素子を駆動して蓄積させる電荷の量を制御すると、画素毎に液晶の配向状態が変化して、所定の情報を表示することが可能となる。
【０００３】
この際、各画素の液晶層に電荷を蓄積させるのは一部の期間で良いため、第１に、走査線駆動回路によって、各走査線を順次選択するとともに、第２に、走査線の選択期間において、データ線駆動回路によって、１本または複数本のデータ線を順次選択し、第３に、選択されたデータ線に画像信号をサンプリングして供給する構成により、走査線およびデータ線を複数の画素について共通化した時分割マルチプレックス駆動が可能となる。
【０００４】
ここで、走査線駆動回路やデータ線駆動回路は、一般的には、それぞれシフトレジスタ回路からなり、これらの各シフトレジスタ回路によって開始パルスを転送させた信号に基づいて、走査線駆動回路が垂直走査を行う一方、データ線駆動回路が水平走査を行う構成となっている。
【０００５】
【発明が解決しようとする課題】
ところで、ビデオカメラにおいて被写体を表示する表示装置は、回転軸を中心に回転させることによって、撮影者側に表示面を向けたり被写体側に表示面を向けることが可能なものがある。このような表示装置にあっては、走査線駆動回路およびデータ線駆動回路の走査方向を反転させないと上下・左右が逆転した画像が表示されることになる。このため、走査方向を反転させるべく、開始パルスとは別に転送方向を指示する制御信号の供給を受け付け、制御信号に基づいて開始パルスを転送する走査線駆動回路やデータ線駆動回路が用いられる。
【０００６】
しかしながら、双方向に駆動可能な走査線駆動回路やデータ線駆動回路は、開始パルスの他に制御信号を供給する必要があるため、配線数が増加し、また、制御信号を伝送するために電力を消費してしまうといった問題があった。
【０００７】
本発明は、上述した事情に鑑みてなされたものであり、双方向に駆動可能で、且つ、少ない信号数で動作することができる駆動回路および駆動方法、電気光学パネル、電子機器等を提供することにある。
【００１１】
【課題を解決するための手段】
上記課題を解決するため、本発明の駆動回路は、複数の走査線と、複数のデータ線と、前記走査線と前記データ線との交差に対応してマトリックス状に配置された画素電極およびスイッチング素子とを有する電気光学パネルに用いられるものであって、転送開始から一定期間だけアクティブとなる基準開始パルスを生成する基準開始パルス生成部と、開始パルスの転送方向に基づいて、前記基準開始パルスとこれを反転した反転基準パルスとのうちいずれか一方を選択して前記開始パルスを生成する選択部と、を有する開始パルス生成回路と、前記開始パルス生成回路から供給される開始パルスの極性を判定し、判定結果に基づいて転送方向を指示する制御信号を生成するシフト方向選択部と、縦続接続された複数の転送単位回路を有し、前記開始パルスを前記制御信号が指示する転送方向に順次シフトするシフト部と、前記複数の転送単位回路の一部または全部に対応して設けた複数の演算単位回路を備え、各演算単位回路は、対応する転送単位回路の入力信号と出力信号とがともにアクティブとなる期間を特定する信号を生成する論理演算部とを備える。この発明によれば、転送開始のタイミングを指示する情報と転送方向を指示する情報とが多重されている開始パルスが供給されると、シフト方向選択部は開始パルスの極性を判定するから、１つの信号で転送方向と転送開始のタイミングとを伝送させることが可能となる。したがって、駆動回路への配線を減らすことができ、また、信号を伝送するための電力を削減することが可能となる。
【００１２】
ここで、前記シフト方向選択部は、前記開始パルスを積分して得られた論理レベルに基づいて前記制御信号を生成することが好ましい。また、前記シフト部は、前記開始パルスを初段の転送単位回路に供給するか終段の転送単位回路に供給するかを選択する選択部とを備えることが好ましい。さらに、前記選択部は、初段の転送単位回路または終段の転送単位回路のいずれか一方に前記開始パルスを反転して供給することが好ましい。これにより、転送単位回路には、正論理または負論理のうち予め定められた一方の開始パルスが供給されることになる。したがって、論理演算部で行う演算を転送方向によって切り換える必要がなくなる。
【００１３】
くわえて、前記クロック信号は、前記クロック信号は、第１クロック信号とこれを反転した第２クロック信号とを含み、前記制御信号は、第１制御信号とこれを反転した第２制御信号とを含み、前記転送単位回路は、制御入力端子を各々備え、前記制御入力端子の電圧が第１論理レベルの場合に入力信号を反転した出力信号を出力する一方、前記制御入力端子の電圧が第２論理レベルの場合に出力端子をハイインピーダンス状態にする第１乃至第４インバータを有し、前記第１インバータは、入力端子が接続点と接続されるとともに前記制御入力端子に前記第２制御信号が供給され、前記第２インバータは、入力端子が前記接続点と接続されるとともに前記制御入力端子に前記第１制御信号が供給され、前記第３インバータは、出力端子が前記接続点と接続されるとともに前記第１インバータの出力端子と入力端子が接続され、前記第４インバータは、前記接続点と出力端子が接続されるとともに前記第２インバータの出力端子と入力端子が接続され、複数の前記転送単位回路のうち、奇数段目の前記第３インバータおよび偶数段目の前記第４インバータの制御入力端子には前記第１クロック信号が供給される一方、偶数段目の前記第３インバータおよび奇数段目の前記第４インバータの制御入力端子には前記第２クロック信号が供給されることが好ましい。
【００１４】
この発明によれば、転送方向に応じて１）第１インバータ、第３インバータおよび第４インバータによって転送単位回路を構成するか、２）第２インバータ、第３インバータおよび第４インバータによって転送単位回路を構成するかを切り換えることが可能となる。
【００１５】
次に、本発明のデータ線駆動回路は、前記駆動回路と、前記駆動回路から出力される各選択信号に基づいて、入力画像信号をサンプリングして前記各データ線に供給するものである。データ線が縦方向に延在し、走査線が横方向に延在するとすれば、データ線駆動回路は、右端のデータ線から左端のデータ線へ順次選択するか、左端のデータ線から右端のデータ線へ順次選択するかを切り換えることができる。
【００１６】
次に、本発明の走査線駆動回路は、前記駆動回路を備え、当該駆動回路から出力される各選択信号に基づいて、前記各走査線を駆動するものである。データ線が縦方向に延在し、走査線が横方向に延在するとすれば、走査線駆動回路は、上端の走査線から下端の走査線へ順次選択するか、下端の走査線から上端の走査線へ順次選択するかを切り換えることができる。
【００１８】
次に、本発明の電気光学パネルは、複数の走査線と、複数のデータ線と、前記走査線と前記データ線との交差に対応してマトリックス状に配置された画素電極およびスイッチング素子とを有する画素領域と、上述したデータ線駆動回路と、前記走査線を駆動するための走査線駆動回路とを備える。この発明によれば、電気光学パネルのデータ線駆動回路に供給する信号数を減らすことができるので、配線数と伝送電力とを削減することが可能となる。
【００１９】
また、本発明の電気光学パネルは、複数の走査線と、複数のデータ線と、前記走査線と前記データ線との交差に対応してマトリックス状に配置された画素電極およびスイッチング素子とを有する画素領域と、前記データ線を駆動するためのデータ線駆動回路と、上述した走査線駆動回路とを備える。この発明によれば、電気光学パネルの走査線駆動回路に供給する信号数を減らすことができるので、配線数と伝送電力とを削減することが可能となる。
【００２０】
次に、本発明の駆動方法にあっては、複数の走査線と、複数のデータ線と、前記走査線と前記データ線との交差に対応してマトリックス状に配置された画素電極およびスイッチング素子とを有する電気光学パネルの駆動方法であって、転送開始から一定期間だけアクティブとなる基準開始パルスを生成し、開始パルスの転送方向に基づいて、前記基準開始パルスとこれを反転した反転基準パルスとのうちいずれか一方を選択して前記開始パルスを生成し、前記開始パルスの極性を判定し、判定結果に基づいて転送方向を指示する制御信号を生成し、縦続接続された複数の転送単位回路によって前記開始パルスを前記制御信号が指示する転送方向に順次シフトし、前記複数の転送単位回路の一部または全部に対応する転送単位回路の入力信号と出力信号とがともにアクティブとなる期間を特定する信号を生成する。この発明によれば、開始パルスの極性によって転送方向を示す情報を伝送できるから、信号数を減らすことができるので、配線数と伝送電力とを削減することが可能となる。
【００２１】
次に、本発明の電子機器は、上述した電気光学パネルと、上述した開始パルス生成回路とを備える。電子機器としては、例えば、携帯電話機、ビデオプロジェクタ、ビデオカメラのビューファインダ等が該当する。
【００２２】
【発明の実施の形態】
以下、本発明の実施の形態について図面を参照して説明する。
＜１．電気光学装置の全体構成＞
まず、実施形態に係る電気光学装置について、液晶表示装置を例にとって説明する。図１は、その液晶表示装置の電気的構成を示すブロック図である。この図に示されるように、液晶表示装置は、液晶パネル１００と、タイミングジェネレータ２００と、画像信号処理回路３００とを備える。このうち、タイミングジェネレータ２００は、各部で使用されるタイミング信号を出力するものである。
【００２３】
また、画像信号処理回路３００内部におけるＳ／Ｐ変換回路３０２は、１系統の画像信号ＶＩＤを入力すると、これを６相の画像信号ＶＩＤ１〜ＶＩＤ６にシリアル−パラレル変換して出力するものである。ここで、画像信号を６相にシリアル−パラレル変換する理由は、後述するサンプリング回路によって、スイッチング素子として機能する各ＴＦＴのソース領域への画像信号の印加時間を長くして、サンプル＆ホールド時間および充放電時間を十分に確保するためである。
【００２４】
一方、増幅・反転回路３０４は、シリアル−パラレル変換された画像信号のうち、反転が必要となるものを反転させ、この後、適宜、増幅して画像信号ＶＩＤ１〜ＶＩＤ６として液晶パネル１００に対して並列的に供給するものである。なお、反転するか否かについては、一般には、データ信号の印加方式が▲１▼走査線単位の極性反転であるか、▲２▼データ線単位の極性反転であるか、▲３▼画素単位の極性反転であるか、▲４▼画面単位の極性反転であるかに応じて定められ、その反転周期は、１水平走査期間またはドットクロック周期、または１垂直走査期間に設定される。なお、本実施形態における極性反転とは、画像信号の振幅中心電位を基準として正極性と負極性に交互に電圧レベルを反転させることをいう。
【００２５】
＜２．液晶パネルの構成＞
次に、液晶パネル１００の電気的構成について説明する。液晶パネル１００は、後述するように、素子基板と対向基板とを互いに電極形成面を対向して貼付した構成となっている。このうち、素子基板にあっては、図においてＸ方向に沿って平行に複数本の走査線１１２が配列して形成され、また、これと直交するＹ方向に沿って平行に複数本のデータ線１１４が形成されている。そして、これらの走査線１１２とデータ線１１４との各交点においては、ＴＦＴ１１６のゲート電極が走査線１１２に接続される。また、ＴＦＴ１１６のソース電極がデータ線１１４に接続されるとともに、ＴＦＴ１１６のドレイン電極が画素電極１１８に接続されている。各画素は、画素電極１１８と、後述する対向基板に形成された共通電極と、これら両電極間に挟持された液晶とを備える。したがって、各画素は、走査線１１２とデータ線１１４との各交点に対応して、マトリクス状に配列することとなる。なお、このほかに、画素毎に、蓄積容量（図示省略）を、電気的にみて画素電極１１８と共通電極とに挟持された液晶に対して並列に形成しても良い。
【００２６】
さて、駆動回路１２０は、データ線駆動回路１３０、サンプリング回路１４０および走査線駆動回路１５０を備え、後述するように素子基板における対向面にあって、表示領域の周辺部に形成されるものである。これらの回路の能動素子は、いずれもｐチャネル型ＴＦＴおよびｎチャネル型ＴＦＴの組み合わせにより形成可能である。したがって、画素に用いるＴＦＴ１１６と共通の製造プロセス（例えば、工程温度が約１０００℃のプロセス）で形成すると、集積化や、製造コスト、素子の均一性などの点において有利となる。
【００２７】
ここで、駆動回路１２０のうち、データ線駆動回路１３０は、シフトレジスタを有し、タイミングジェネレータ２００からのクロック信号ＣＬＸやその反転クロック信号ＣＬＸINVに基づいてＸスタートパルスＳＰＸをシフトして、サンプリング信号Ｓ１〜Ｓｍを生成する。また、データ線駆動回路１３０は、スタートパルスＳＰＸが正極性（Ｈレベルでアクティブ）であるか、負極性（Ｌレベルでアクティブ）であるかによってスタートパルスＳＰＸのシフト方向を選択するようになっている。具体的には、スタートパルスＳＰＸが正極性の場合、データ線駆動回路１３０はスタートパルスＳＰＸを右方向（Ｘ方向）にシフトし、サンプリング信号をＳ１、Ｓ２、…Ｓｍの順にアクティブにする。一方、スタートパルスＳＰＸが負極性の場合、データ線駆動回路１３０はスタートパルスＳＰＸを左方向（Ｘ方向と逆方向）にシフトし、サンプリング信号をＳｍ、Ｓｍ-1、…、Ｓ１の順にアクティブにする。
【００２８】
サンプリング回路１４０は、６本のデータ線１１４を１群とし、これらの群に属するデータ線１１４に対し、サンプリング信号Ｓ１〜Ｓｍにしたがって画像信号ＶＩＤ１〜ＶＩＤ６をそれぞれサンプリングして供給するものである。詳細には、サンプリング回路１４０には、ＴＦＴからなるスイッチ１４１が各データ線１１４の一端に設けられるとともに、各スイッチ１４１のソース電極は、画像信号ＶＩＤ１〜ＶＩＤ６のいずれかが供給される信号線に接続され、また、各スイッチ１４１のドレイン電極は１本のデータ線１１４に接続されている。さらに、各群に属するデータ線１１４に接続された各スイッチ１４１のゲート電極は、その群に対応してサンプリング信号Ｓ１〜Ｓｍが供給される信号線のいずれかに接続されている。上述したように本実施形態にあっては、画像信号ＶＩＤ１〜ＶＩＤ６は同時に供給されるので、サンプリング信号Ｓ１により同時にサンプリングされることとなる。
【００２９】
走査線駆動回路１５０は、シフトレジスタを有し、タイミングジェネレータ２００からのクロック信号ＣＬＹやその反転クロック信号ＣＬＹINVに基づいてＹスタートパルスＳＰＹをシフトして、走査信号Ｙ１〜Ｙｎを各走査線１１２に対して順次出力するものである。
【００３０】
また、走査線駆動回路１５０は、データ線駆動回路１３０と同様に、ＹスタートパルスＳＰＹが正極性（Ｈレベルでアクティブ）であるか、負極性（Ｌレベルでアクティブ）であるかによってＹスタートパルスＳＰＹのシフト方向を選択するようになっている。具体的には、ＹスタートパルスＳＰＹが正極性の場合、走査線駆動回路１５０は、ＹスタートパルスＳＰＸを下方向（Ｙ方向）にシフトし、走査信号をＹ１、Ｙ２、…Ｙｎの順にアクティブにする。一方、ＹスタートパルスＳＰＹが負極性の場合、走査線駆動回路１５０は、ＹスタートパルスＳＰＹを上方向（Ｙ方向と逆方向）にシフトし、走査信号をＹｎ、Ｙｎ-1、…Ｙ１の順にアクティブにする。
【００３１】
＜３．スタートパルス生成回路＞
次に、タイミングジェネレータ２００の一部であるＸスタートパルス生成回路２１０について説明する。図２はＸスタートパルス生成回路２１０の構成を示すブロック図であり、図３はＸスタートパルス生成回路２１０の各部の波形を示すタイミングチャートである。Ｘスタートパルス生成回路２１０は、インバータ２１１〜２１３および選択回路２１４を備え、ＸスタートパルスＳＰＸを生成する。このうち選択回路２１４は入力端子ＩＮ１，ＩＮ２、制御入力端子ＣＴＬ、および出力端子ＯＵＴを備え、制御入力端子ＣＴＬの電圧がＨレベルの場合に入力端子ＩＮ１に供給される信号を選択する一方、その電圧がＬレベルの場合に入力端子ＩＮ２に供給される信号を選択する。また、インバータ２１２および２１３はバッファとして機能する。
【００３２】
選択回路２１４の一方の入力端子ＩＮ１にはＸ基準パルスＲＰＸが供給され、他方の入力端子ＩＮ２には、インバータ２１１の出力信号が反転Ｘ基準パルスＲＰＸ’として供給されるようになっている。Ｘ基準パルスＲＰＸは、図３に示すように水平ブランキング期間ＨＢの一部の期間においてＨレベルとなる一方、他の期間においてはＬレベルとなる。インバータ２１１の出力信号はＸ基準パルスＲＰＸを反転したものであるから、反転Ｘ基準パルスＲＰＸ’の波形は図３に示すものとなる。なお、Ｘ基準パルスＲＰＸは、画像信号や水平ブランキング信号に基づいて図示せぬ生成回路によって生成される。
【００３３】
また、選択回路２１４の制御入力端子ＣＴＬには、Ｘシフト方向選択信号ｄｉｒｘが供給される。Ｘシフト方向選択信号ｄｉｒｘは、その論理レベルがＨレベルの場合にデータ線１１４を右方向に走査することを指示する一方、その論理レベルがＬレベルの場合にデータ線１１４を左方向に走査することを指示する。
【００３４】
上述したように選択回路２１４は制御入力端子ＣＴＬの電圧に基づいて信号を選択し、インバータ２１２および２１３はバッファとして機能する。したがって、図３に示すようにＸシフト方向選択信号ｄｉｒｘがＨレベルの期間にあっては、Ｘ基準パルスＲＰＸがＸスタートパルスＳＰＸとして出力される一方、Ｈレベルの場合、反転Ｘ基準パルスＲＰＸ’がＸスタートパルスＳＰＸとして出力される。
【００３５】
このようにＸスタートパルス生成回路２１０は、Ｘシフト方向選択信号ｄｉｒｘに基づいて、ＸスタートパルスＳＰＸのパルス極性を選択する。したがって、ＸスタートパルスＳＰＸは、データ線駆動回路１３０におけるパルスシフトの開始タイミングを指示するだけでなく、データ線１１４の走査方向をも指示する。換言すれば、Ｘスタートパルス生成回路２１０は、Ｘ基準パルスＲＰＸとＸシフト方向選択信号ｄｉｒｘとを多重してＸスタートパルスＳＰＸを生成している。
【００３６】
ところで、タイミングジェネレータ２００と液晶パネル１００とは別体として構成されるので、これらの間は配線によって接続される。この配線には、浮遊容量が存在するから、タイミングジェネレータ２００は容量性の負荷を駆動することになる。したがって、タイミングジェネレータ２００は、液晶パネル１００に各種の信号を供給するために、大きな電力を必要とする。本実施形態のＸスタートパルス生成回路２１０は、２種類の信号を１つの信号にまとめてデータ線駆動回路１３０に供給することができるので、消費電力を削減することができる。くわえて、タイミングジェネレータ２００と液晶パネル１００との間の配線本数を削減することが可能となる。
【００３７】
また、タイミングジェネレータ２００はＹスタートパルスＳＰＹを生成するＹスタートパルス生成回路（図示略）を備える。Ｙスタートパルス生成回路は、Ｘスタートパルス生成回路２１０と同様に構成されている。ただし、Ｘシフト方向選択信号ｄｉｒｘの代わりにＹシフト方向選択信号ｄｉｒｙが供給され、Ｘ基準パルスＲＰＸの代わりにＹ基準パルスＲＰＹが供給される点が相違する。Ｙシフト方向選択信号ｄｉｒｙはその論理レベルがＨレベルの場合に走査線１１２を下方向に走査することを指示する一方、その論理レベルがＬレベルの場合に走査線１１２を上方向に走査することを指示する。Ｙ基準パルスＲＰＹは、水平ブランキング期間の一部の期間においてＨレベルとなる一方、他の期間においてはＬレベルとなる。
【００３８】
Ｙスタートパルス生成回路は、Ｙシフト方向選択信号ｄｉｒｙに基づいて、ＹスタートパルスＳＰＹのパルス極性を選択して、Ｙ基準パルスＲＰＹとＹシフト方向選択信号ｄｉｒｙとを多重したＹスタートパルスＳＰＹを生成する。これにより、Ｙスタートパルス生成回路は、２種類の信号を１つの信号にまとめて走査線線駆動回路１５０に供給することができるので、消費電力を削減することができる。
【００３９】
＜４．データ線駆動駆動回路＞
次に、本実施形態に係るデータ線駆動回路１３０について説明する。図４は、データ線駆動回路１３０の構成を示すブロック図である。この図に示すようにデータ線駆動回路１３０は、シフト方向選択部１３１、双方向シフトレジスタ部１３２、および論理演算部１３３を備えている。
【００４０】
＜４−１：シフト方向選択部＞
まず、シフト方向選択部１３１について説明する。ここでは、シフト方向選択部１３１の構成例を２種類説明する。図５はシフト方向選択部１３１の第１構成例を示すブロック図であり、図６はそのタイミングチャートである。第１構成例のシフト方向選択部１３１は、図５に示すように５個のインバータ１３１１〜１３１５とキャパシタンスＣを備えている。このうち、インバータ１３１３〜１３１５はバッファとして機能し、インバータ１３１４からは第１シフト方向選択信号ＤＩＲ１が出力される一方、インバータ１３１５からは第２シフト方向選択信号ＤＩＲ２が出力される。なお、各インバータ１３１１〜１３１５は、図１０に示すようにｐチャネル型ＴＦＴとｎチャネル型ＴＦＴとを直列に接続して構成されている。
【００４１】
インバータ１３１１には、駆動能力が小さいものを用いる。具体的には、インバータ１３１１を構成するｐチャネル型ＴＦＴおよびｎチャネル型ＴＦＴとしてゲート幅の狭いものを用いる。インバータ１３１１の出力端子にはキャパシタンスＣが接続されているので、インバータ１３１１の出力インピーダンスとキャパシタンスＣによって積分回路が構成されることになる。このため、図６に示すＸスタートパルスＳＰＸがインバータ１３１１に入力されると、その出力信号のレベルは時刻ｔ１から徐々に下がるが、時刻ｔ２に至ってもインバータ１３１２の閾値ｒｅｆに達しない。そして、インバータ１３１１の出力信号のレベルは、時刻ｔ２を経過すると徐々に上昇し、やがてＨレベルに戻る。したがって、インバータ１３１２の出力信号はＬレベルを維持する。
【００４２】
このようにＸスタートパルスＳＰＸの極性が正極性の場合には、インバータ１３１２の出力信号はＬレベルとなる。一方、ＸスタートパルスＳＰＸの極性が負極性の場合には、インバータ１３１２の出力信号はＨレベルとなる。
【００４３】
次に、インバータ１３１３および１３１４は正転バッファとして機能する一方、インバータ１３１５は反転バッファとして機能するから、ＸスタートパルスＳＰＸの極性が正極性の場合には、第１シフト方向選択信号ＤＩＲ１はＬレベル、第２シフト方向選択信号ＤＩＲ２はＨレベルとなる。一方、ＸスタートパルスＳＰＸの極性が負極性の場合には、第１シフト方向選択信号ＤＩＲ１はＨレベル、第２シフト方向選択信号ＤＩＲ２はＬレベルとなる。
【００４４】
換言すれば、シフト方向選択部１３１は、ＸスタートパルスＳＰＸを積分することによって、ＸスタートパルスＳＰＸの非アクティブとなる期間の論理レベルを検出し（インバータ１３１２の出力信号）、これに基づいて第１シフト方向選択信号ＤＩＲ１および第２シフト方向選択信号ＤＩＲ２を生成している。また、ＸスタートパルスＳＰＸの極性は非アクティブ期間の論理レベルによっても定まるから、シフト方向選択部１３１は、ＸスタートパルスＳＰＸの極性を判定し、判定結果に基づいて第１シフト方向選択信号ＤＩＲ１および第２シフト方向選択信号ＤＩＲ２を生成しているともいえる。
【００４５】
図７はシフト方向選択部１３１の第２構成例を示すブロック図である。第２構成例のシフト方向選択部１３１は、図５に示す第１構成例からキャパシタンスＣを除いたものである。ここで、インバータ１３１２は、ｐチャネル型ＴＦＴｐ１およびｎチャネル型ＴＦＴｎ１とを備えている。
【００４６】
インバータ１３１１の出力端子はｐチャネル型ＴＦＴｐ１およびｎチャネル型ＴＦＴｎ１のゲートに接続されているため、インバータ１３１１の出力端子にはゲート容量が等価的に接続されていることになる。ここで、ｐチャネル型ＴＦＴｐ１およびｎチャネル型ＴＦＴｎ１のゲート幅は、他のインバータと比較して広い。ゲート容量はゲート幅が広い程大きくなるが、この例のゲート幅は、第１構成例のキャパシタンスＣの容量値と略等しいゲート容量が得られるように調整されている。したがって、第２構成例では、第１構成例のようにキャパシタンスＣを積極的に設けなくても、インバータ１３１１の出力インピーダンスとゲート容量とによって積分回路が構成される。このため、図６に示すＸスタートパルスＳＰＸがインバータ１３１１に供給されると、ｐチャネル型ＴＦＴｐ１のドレインおよびｎチャネル型ＴＦＴｎ１のソースから取り出される出力信号は図６に示すインバータ１３１２の出力信号と同様にＬレベルとなる。
【００４７】
したがって、第２構成例は、第１構成例と同様に、ＸスタートパルスＳＰＸの非アクティブとなる期間の論理レベルを検出し（ｐチャネル型ＴＦＴｐ１およびｎチャネル型ＴＦＴｎ１）、これに基づいて第１シフト方向選択信号ＤＩＲ１および第２シフト方向選択信号ＤＩＲ２を生成している。なお、上述した第１構成例においても、配線等により発生する浮遊容量によってキャパシタンスＣが構成される場合には、積極的にキャパシタンスＣを設ける必要はない。
【００４８】
＜４−２：双方向シフトレジスタ部＞
次に、図４に示す双方向シフトレジスタ部１３２は、ｍ＋２段の転送単位回路Ｒ０〜Ｒｍ＋１、トランスファーゲート１３２１，１３２２、およびインバータ１３２３を備えている。
【００４９】
まず、トランスファーゲート１３２１の正転制御入力端子には第１シフト方向選択信号ＤＩＲ１が供給される一方、反転制御入力端子には第２シフト方向選択信号ＤＩＲ２が供給される。また、トランスファーゲート１３２２の正転制御入力端子および正転制御入力端子は、それらの接続関係がトランスファーゲート１３２１とは逆である。したがって、トランスファーゲート１３２１がオン状態であればトランスファーゲート１３２２はオフ状態となる一方、トランスファーゲート１３２１がオフ状態であればトランスファーゲート１３２２はオン状態となる。
【００５０】
上述したように、ＸスタートパルスＳＰＸが正極性の場合、第１シフト方向選択信号ＤＩＲ１がＨレベルとなり、第２シフト方向選択信号ＤＩＲ２がＬレベルとなる。したがって、ＸスタートパルスＳＰＸが正極性であれば、ＸスタートパルスＳＰＸはトランスファーゲート１３２１を介して転送単位回路Ｒ０に供給されることになる。一方、ＸスタートパルスＳＰＸが負極性の場合には、ＸスタートパルスＳＰＸはトランスファーゲート１３２２およびインバータ１３２３を介して転送単位回路Ｒｍ＋１に供給されることになる。すなわち、トランスファーゲート１３２１，１３２２およびインバータ１３２３は、ＸスタートパルスＳＰＸを初段の転送単位回路Ｒ０に供給するか、終段の転送単位回路Ｒｍ＋１に供給するかを選択する選択部として機能する。
【００５１】
次に、各転送単位回路Ｒ０〜Ｒｍ＋１は、クロックドインバータＩＮＶＡ〜ＩＮＶＤを備えている。このうち、クロックドインバータＩＮＶＡおよびＩＮＶＢは、ＸスタートパルスＳＰＸの転送方向を制御するために用いられる。クロックドインバータＩＮＶＡは、第２シフト方向選択信号ＤＩＲ２がＨレベルの場合にアクティブとなりインバータとして機能する一方、第２シフト方向選択信号ＤＩＲ２がＬレベルの場合に非アクティブとなる（出力端子がハイインピーダンス状態となる）。また、クロックドインバータＩＮＶＢは、第１シフト方向選択信号ＤＩＲ１がＨレベルの場合にアクティブとなりインバータとして機能する一方、第１シフト方向選択信号ＤＩＲ２がＨレベルの場合に非アクティブとなる。
【００５２】
なお、図４では、図面が煩雑になるのを避けるために、クロックドインバータＩＮＶＡおよびＩＮＶＢに第２シフト方向選択信号ＤＩＲ２と第１シフト方向選択信号ＤＩＲ１とが供給されるよう図示したが、実際のクロックドインバータＩＮＶＡおよびＩＮＶＢは、図８に示すように構成されている。
【００５３】
次に、各転送単位回路Ｒ０〜Ｒｍ＋１のうち左から見て奇数番目の転送単位回路Ｒ０、Ｒ２、…Ｒｍにおいて、クロックドインバータＩＮＶＣは、クロック信号ＣＬＸがＨレベルの場合（反転クロック信号ＣＬＸINVがＬレベルの場合）に入力信号を反転する。また奇数番目の転送単位回路Ｒ０、Ｒ２、…Ｒｍにおいて、クロックドインバータＩＮＶＤは、反転クロック信号ＣＬＸINVがＨレベルの場合（クロック信号ＣＬＸがＬレベルの場合）に入力信号を反転する。
【００５４】
一方、左から見て偶数番目の転送単位回路Ｒ１、Ｒ３、…、Ｒｍ＋１は、基本的に、奇数番目の転送単位回路Ｒ０、Ｒ２、…Ｒｍと同様な構成であるが、クロックドインバータＩＮＶＣは反転クロック信号ＣＬＸINVがＨレベルの場合に入力信号を反転し、クロックドインバータＩＮＶＤはクロック信号ＣＬＸがＨレベルの場合に入力信号を反転する点において異なっている。
【００５５】
なお、図４において、奇数段のクロックドインバータＩＮＶＣ、偶数段のクロックドインバータＩＮＶＤには、それぞれクロック信号ＣＬＸのみ供給されているが、実際には図９に示すように、反転クロック信号ＣＬＸINVも供給されている。同様に、図４においては、奇数段のクロックドインバータＩＮＶＤ、偶数段のクロックドインバータＩＮＶＣには、反転クロック信号ＣＬＸINVのみ供給されているが、実際には図９に示すように、クロック信号ＣＬＸも供給されている。
また、インバータ１３２３は、図１０に示すように構成されている。
【００５６】
＜４−３：論理演算部＞
次に、図４に示す論理演算部１３３は、ｍ個の演算単位回路Ｋ１〜Ｋｍを備えている。各演算単位回路Ｋ１、Ｋ２、…Ｋｍは、各転送単位回路Ｒ１、Ｒ２、…Ｒｍに各々対応している。
【００５７】
そして、各演算単位回路Ｋ１〜Ｋｍは、ＮＡＮＤ回路１３３１とインバータ１３３２を有しており、ｐチャネル型ＴＦＴおよびｎチャネル型ＴＦＴを組み合わせて相補型で構成されている。
【００５８】
このうち、左からｉ番目（ｉ＝２、……、ｎ）の演算単位回路ＫｉにおけるＮＡＮＤ回路１３３１は、転送単位回路Ｒｉの入力信号と出力信号との論理積を反転するものである。また、各段のインバータ１３３２は、対応するＮＡＮＤ回路１３３１の出力信号を反転して、サンプリング信号Ｓ１、Ｓ２、…、Ｓｍとして出力する構成となっている。
【００５９】
＜４−４：データ線駆動回路の動作＞
次に、データ線駆動回路１３０の動作について説明する。まず、ＸスタートパルスＳＰＸの極性が正極性である場合を想定する。この場合には、第１シフト方向選択信号ＤＩＲ１はＨレベル、第２シフト方向選択信号ＤＩＲ２はＬレベルとなるから、トランスファーゲート１３２１はオン状態、トランスファーゲート１３２２はオフ状態となる。したがって、データ線駆動回路１３０の等価回路は、図１１に示すものとなる。
【００６０】
図１２は、ＸスタートパルスＳＰＸの極性が正極性である場合におけるデータ線駆動回路１３０の動作を示すタイミングチャートである。
まず、ＸスタートパルスＳＰＸがアクティブとなった後、時刻ｔ１１において、クロック信号ＣＬＸが立ち上がると（反転クロック信号ＣＬＸINVが立ち下がると）、第１段目の転送単位回路Ｒ１におけるクロックドインバータＩＮＶＣは、ＸスタートパルスＳＰＸのＨレベルを反転し、同じく第１段目の転送単位回路Ｒ１におけるインバータＩＮＶＢが、同クロックドインバータＩＮＶＣの反転結果を反転するので、第１段目の転送単位回路Ｒ１による出力信号Ｐ１はＨレベルとなる。
【００６１】
次に、タイミングｔ１２において、クロック信号ＣＬＸが立ち下がると（反転クロック信号ＣＬＸINVが立ち上がると）、第１段目の転送単位回路Ｒ１におけるクロックドインバータＩＮＶＤは、Ｈレベルの出力信号Ｐ１をインバータＩＮＶＢに反転帰還するので、出力信号Ｐ１はＨレベルを維持することとなる。すなわち、インバータＩＮＶＢとクロックドインバータＩＮＶＤは、ラッチ回路として機能する。また、第２段目の転送単位回路Ｒ２におけるクロックドインバータＩＮＶＣは、第１段目の転送単位回路Ｒ１による出力信号Ｐ１のＨレベルを反転する。同じく第２段目の転送単位回路Ｒ２におけるインバータＩＮＶＢが、同クロックドインバータＩＮＶＣの反転結果を反転するので、第２段目の転送単位回路Ｒ２の出力信号Ｐ２はＨレベルとなる。
【００６２】
そして、タイミングｔ１３において、ＸスタートパルスＳＰＸの入力が終了して、再び、クロック信号ＣＬＸが立ち上がると（反転クロック信号ＣＬＸINVが立ち下がると）、第１段目の転送単位回路Ｒ１におけるクロックドインバータＩＮＶＣは、ＸスタートパルスＳＰＸのＬレベルを取り込むので、出力信号Ｐ１はＬレベルとなる。一方、第２段目の転送単位回路Ｒ２におけるクロックドインバータＩＮＶＤは、Ｈレベルの出力信号Ｐ２をインバータＩＮＶＢに反転帰還するので、出力信号Ｐ２はＨレベルを維持することとなる。
【００６３】
以下、同様な動作が繰り返される結果、最初に入力されたＸスタートパルスＳＰＸがクロック信号ＣＬＸおよびその反転クロック信号ＣＬＸINVの半周期だけ順次シフトされて、各段の転送単位回路Ｒ０〜Ｒｍから出力信号Ｐ１、Ｐ２、…、Ｐｍ＋１として出力されることとなる。すなわち、出力信号Ｐ１、Ｐ２、…、Ｐｍ＋１の順にアクティブとなる。また、ある信号Ｐｉは、直前の信号Ｐｉ−１および直後の信号Ｐｉ＋１と、クロック信号ＣＬＸの半周期だけアクティブ期間が重複することになる。
【００６４】
各演算単位回路Ｋ１〜Ｋｍあっては、対応する転送単位回路Ｒ１〜Ｒｍの入力信号および出力信号の論理積を反転して信号Ｑ１、Ｑ２、…、Ｑｍを生成する。例えば、信号Ｑ１は、信号Ｐ１および信号Ｐ２に基づいて生成されるから、図１１に示すように時刻ｔ１１から時刻ｔ１２までの期間において、Ｌレベルとなる。
【００６５】
そして、信号Ｑ１、Ｑ２、…、Ｑｍは、各演算単位回路Ｋ１〜Ｋｍのインバータ１３３２によって反転され、サンプリング信号Ｓ１〜Ｓｍとして出力される。この結果、ＸスタートパルスＳＰＸの極性が正極性である場合には、サンプリング信号は、Ｓ１、Ｓ２、…、Ｓｍの順にアクティブとなる。
【００６６】
次に、ＸスタートパルスＳＰＸの極性が負極性である場合について説明する。この場合には、第１シフト方向選択信号ＤＩＲ１はＬレベル、第２シフト方向選択信号ＤＩＲ２はＨレベルとなるから、トランスファーゲート１３２１はオフ状態、トランスファーゲート１３２２はオン状態となる。したがって、データ線駆動回路１３０の等価回路は、図１３に示すものとなる。負極性のＸスタートパルスＳＰＸが双方向シフトレジスタ部１３２に供給されると、負極性のＸスタートパルスＳＰＸはインバータ１３２３によって反転され、正極性のＸスタートパルスＳＰＸとして転送単位回路Ｒｍ＋１に供給される。すなわち、負極性である場合の等価回路は、右側からＸスタートパルスＳＰＸが供給される点を除いて、正極性の場合の等価回路と同様である。
【００６７】
図１４は、ＸスタートパルスＳＰＸの極性が負極性である場合におけるデータ線駆動回路１３０の動作を示すタイミングチャートである。この例においては、転送単位回路Ｒｍ＋１にＸスタートパルスＳＰＸが供給されるため、図１４に示すように信号Ｐｍ＋１、Ｐｍ、…、Ｐ１の順にアクティブとなる。また、ある信号Ｐｉは、直前の信号Ｐｉ＋１および直後の信号Ｐｉ−１と、クロック信号ＣＬＸの半周期だけアクティブ期間が重複することになる。
【００６８】
したがって、信号Ｑ１〜Ｑｍは、Ｑｍ、Ｑｍ−１、…、Ｑ１の順にアクティブとなり、インバータ１３３２によって反転され、サンプリング信号Ｓ１〜Ｓｍとして出力される。この結果、ＸスタートパルスＳＰＸの極性が負極性である場合、サンプリング信号はＳｍ、Ｓｍ−１、…、Ｓ１の順にアクティブとなる。
【００６９】
この例のデータ線駆動回路１３０によれば、シフト方向を示す情報をＸスタートパルスＳＰＸにその極性として重畳しても、シフト方向選択部１３１においてＸスタートパルスＳＰＸの極性を判定し、その判定結果に基づいて双方向シフトレジスタ部１３２のシフト方向を選択することができる。この結果、液晶パネル１００とタイミングジェネレータ２００との間の配線を減らすことが可能となる。
【００７０】
＜５．走査線駆動回路＞
次に、走査線線駆動回路１５０について説明する。図１５は、走査線駆動回路１５０の構成を示すブロック図である。走査線駆動回路１５０は、シフト方向選択部１５１、双方向シフトレジスタ部１５２、および論理演算部１５３を備える。走査線駆動回路１５０は、出力信号の引き出し方向と、入力される信号とが異なる以外、基本的にデータ線駆動回路１３０と同様に構成されている。
【００７１】
すなわち、走査線駆動回路１５０は、データ線駆動回路１３０を９０度左回転して配置したものであり、図１５に示されるように、ＸスタートパルスＳＰＸの代わりに、ＹスタートパルスＳＰＹを入力するとともに、クロック信号ＣＬＸおよびその反転クロック信号ＣＬＸINVの代わりに、クロック信号ＣＬＹおよびその反転クロック信号ＣＬＹINVを入力する。また、ｎ本の走査線１１２に走査信号Ｙ１〜Ｙｎを供給するため、双方向シフトレジスタ部１５２はｎ＋１個の転送単位回路Ｒ１〜Ｒｎ＋１から構成され、論理演算部１５３はｎ個の演算単位回路Ｋ１〜Ｋｎから構成される。
【００７２】
以上の構成において、垂直走査周期のＹスタートパルスＳＰＹが走査線駆動回路１５０に供給されると、シフト方向選択部１５１はＹスタートパルスＳＰＹの極性を判定し、ＹスタートパルスＳＰＹが正極性の場合には、双方シフトレジスタ部１５２においてＹスタートパルスＳＰＹを上から下に転送するように制御する。一方、シフト方向選択部１５１がＹスタートパルスＳＰＹの極性を負極性と判定した場合には、シフト方向選択部１５１は双方シフトレジスタ部１５２においてＹスタートパルスＳＰＹを下から上に転送するように制御する。この結果、ＹスタートパルスＳＰＹが正極性であれば、走査信号はＹ１、Ｙ２、…、Ｙｎの順にアクティブとなる一方、ＹスタートパルスＳＰＹが負極性であれば、走査信号はＹｎ、Ｙｎ−１、…、Ｙ１の順にアクティブとなる。これにより、液晶パネル１００とタイミングジェネレータ２００との間の配線を減らすことが可能となる。
【００７３】
＜６．液晶パネルの構成例＞
次に、上述した電気的構成に係る液晶パネル１００の全体構成について図１６および図１７を参照して説明する。ここで、図１６は、液晶パネル１００の構成を示す斜視図であり、図１７は、図１６におけるＺ−Ｚ’線断面図である。
【００７４】
これらの図に示されるように、液晶パネル１００は、素子基板１０１と対向基板１０２とを、スペーサ１０３が混入されたシール材１０４によって一定の間隙を保って、互いに電極形成面が対向するように貼り合わせたものである。素子基板１０１は、ガラス等の透明な絶縁性基板により構成されており、当該基板上にシリコン薄膜を形成するとともに、当該薄膜上にＴＦＴや画素電極１１８が形成される。一方、対向基板１０２はガラス等の透明な平板で構成される。
【００７５】
そして、液晶パネル１００は、素子基板１０１と対向基板１０２との間隙に電気光学材料としての液晶１０５を封入した構造となっている。なお、シール材１０４は、対向基板１０２の基板周辺に沿って形成されるが、液晶１０５を封入するために一部が開口している。このため、液晶１０５の封入後に、その開口部分が封止材１０６によって封止されている。
【００７６】
ここで、素子基板１０１の対向面であって、シール材１０４の外側一辺においては、上述したサンプリング回路１４０およびデータ線駆動回路１３０が形成されている。さらに、この一辺には複数の接続電極１０７が形成されており、そこにはタイミングジェネレータ２００および画像信号処理回路３００からの各種信号が供給される。また、この一辺に隣接する２辺には、２個の走査線駆動回路１５０が形成されている。なお、走査線１１２に供給される走査信号の遅延が問題にならないのであれば、走査線駆動回路１５０を片側１個だけに形成する構成でも良い。
【００７７】
上述したようにＸスタートパルスＳＰＸおよびＹスタートパルスＳＰＹは、転送開始タイミングだけでなく、データ線１１４または走査線１１２の選択方向も指示するものいであるから、これらのパルスＳＰＸ、ＳＰＹとは別にシフト方向を指示する信号を液晶パネル１００に供給する必要はない。したがって、本実施形態によれば接続電極１０７の数を減らすことができ、さらに接続電極１０７からデータ線駆動回路１３０や走査線駆動回路１５０への配線数を減らすことが可能となる。これにより、液晶パネル１００の作成を容易にし、その信頼性を向上させることが可能となる。
【００７８】
一方、対向基板１０２の共通電極１０８は、素子基板１０１との貼合部分における４隅のうち、少なくとも１箇所において設けられた導通材によって、素子基板１０１との電気的導通が図られている。ほかに、対向基板１０２には、液晶パネル１００の用途に応じて、例えば、第１に、ストライプ状や、モザイク状、トライアングル状等に配列したカラーフィルタが設けられ、第２に、例えば、クロムやニッケルなどの金属材料や、カーボンやチタンなどをフォトレジストに分散した樹脂ブラックなどのブラックマトリクスが設けられ、第３に、液晶パネル１００に光を照射するバックライトが設けられる。特に色光変調の用途の場合には、カラーフィルタは形成されずにブラックマトリクスが対向基板１０２に設けられる。
【００７９】
くわえて、素子基板１０１および対向基板１０２の対向面には、それぞれ所定の方向にラビング処理された配向膜などが設けられる一方、その各背面側には配向方向に応じた偏光板（図示省略）がそれぞれ設けられる。ただし、液晶１０５として、高分子中に微小粒として分散させた高分子分散型液晶を用いれば、前述の配向膜、偏光板等が不要となる結果、光利用効率が高まるので、高輝度化や低消費電力化などの点において有利である。
【００８０】
なお、駆動回路１２０等の周辺回路の一部または全部を、素子基板１０１に形成する代わりに、例えば、ＴＡＢ（Tape Automated Bonding）技術を用いてフィルムに実装された駆動用ＩＣチップを、素子基板１０１の所定位置に設けられる異方性導電フィルムを介して電気的および機械的に接続する構成としても良いし、駆動用ＩＣチップ自体を、ＣＯＧ（Chip On Grass）技術を用いて、素子基板１０１の所定位置に異方性導電フィルムを介して電気的および機械的に接続する構成としても良い。
【００８１】
また、素子基板１０１を半導体基板により構成して、当該半導体基板の表面にソース、ドレイン、チャネルが形成された絶縁ゲート型電界効果トランジスタによって、画素のスイッチング素子や駆動回路１２０の素子を構成しても良い。このように素子基板１０１を半導体基板により構成する場合には、透過型の表示パネルとして用いることができないため、画素電極１１８をアルミニウムなどで形成して、反射型として用いられることとなる。また、単に、素子基板１０１を透明基板として、画素電極１１８を反射型にしても良い。
【００８２】
さらに、上述した実施形態では画素のスイッチング素子を、ＴＦＴで代表される３端子素子として説明したが、ダイオード等の２端子素子で構成しても良い。ただし、画素のスイッチング素子として２端子素子を用いる場合には、走査線１１２を一方の基板に形成し、データ線１１４を他方の基板に形成するとともに、２端子素子を、走査線１１２またはデータ線１１４のいずれか一方と、画素電極との間に形成する必要がある。この場合、画素は、走査線１１２とデータ線１１４との間に直列接続された二端子素子と、液晶とから構成されることとなる。
【００８３】
また、上述した実施形態ではアクティブマトリクス型液晶表示装置を一例として説明したが、これに限られず、ＳＴＮ（Super Twisted Nematic）液晶などを用いたパッシィブ型にも適用可能である。さらに、電気光学材料としては、液晶のほかに、エレクトロルミネッセンス素子などを用いて、その電気光学効果により表示を行う表示装置にも適用可能である。すなわち、本発明は、上述した液晶表示装置と類似の構成を有するすべての電気光学装置に適用可能である。
【００８４】
＜７．応用例＞
（１）上述した実施形態において、図４に示す双方向シフトレジスタ部１３２では、ＸスタートパルスＳＰＸが正極性の場合、右端の転送単位回路Ｒｍ＋１にＸスタートパルスＳＰＸを供給しないようにし、かつ、ＸスタートパルスＳＰＸが負極性の場合に、反転したＸスタートパルスＳＰＸを転送単位回路Ｒｍ＋１に供給する。このために、トランスファーゲート１３２２およびインバータ１３２３を用いたが、これらの代わりに図８に示すクロックドインバータＩＮＶＡを用いてもよい。クロックドインバータＩＮＶＡは、ＸスタートパルスＳＰＸが正極性の場合にハイインピーダンス状態になる一方、その極性が負極性の場合にインバータとして機能する。したがって、反転したＸスタートパルスＳＰＸが選択的に転送単位回路Ｒｍ＋１に供給されることになる。なお、走査線駆動回路１５０においても同様である。
【００８５】
（２）上述した実施形態において、データ線駆動回路１３０の転送単位回路Ｒ０〜Ｒｍ＋１には正極性のＸスタートパルスＳＰＸが供給され、データ線駆動回路１３０は正極性のサンプリング信号Ｓ１〜Ｓｍを出力するものとしたが、本発明はこれに限定されるものではなく、例えば、図１８に示すデータ線駆動回路１３０’を用いてもよい。
【００８６】
このデータ線駆動回路１３０’はＮＡＮＤ回路１３３１の代わりにＮＯＲ回路１３３３を用いる点、トランスファーゲート１３２１、１３２２およびクロックドインバータＩＮＶＡおよびＩＮＶＢに供給する第１シフト方向選択信号ＤＩＲ１および第２シフト方向選択信号ＤＩＲ２が逆となっている点を除いて、図４に示すデータ線駆動回路１３０と同様に構成されている。したがって、ＸスタートパルスＳＰＸが負極性の場合にＸスタートパルスＳＰＸが転送単位回路Ｒ０に供給される一方、ＸスタートパルスＳＰＸが負極性の場合にＸスタートパルスＳＰＸが反転されて転送単位回路Ｒｍ＋１に供給される。
【００８７】
図１９はＸスタートパルスＳＰＸが負極性の場合におけるデータ線駆動回路１３０’の動作を示すタイミングチャートである。この図に示すように信号Ｐ１、Ｐ２、…、Ｐｍの順にアクティブとなり、負論理のサンプリング信号がＳ１、Ｓ２、…、Ｓｍの順にアクティブとなる。なお、走査線駆動回路１５０もデータ線駆動回路１３０’と同様に構成することができる。
【００８８】
（３）上述した実施形態においては、双方向に駆動可能な駆動回路１２０について説明したが、データ線駆動回路１３０および走査線駆動回路１５０をシフトレジスタとして把握することも可能である。また、図４に示すシフト方向選択部１３１と双方向シフトレジスタ部１３２とをシフトレジスタとして把握することも可能である。
【００８９】
（４）上述した実施形態においては、図４に示すように演算単位回路Ｋ１〜Ｋｍは転送単位回路Ｒ０〜Ｒｍの一部に対応させて設けたが、全部に対応させて設けてもよい。
【００９０】
＜８．電子機器＞
次に、上述した液晶表示装置を各種の電子機器に適用される場合について説明する。
【００９１】
＜その１：プロジェクタ＞
まず、この液晶パネルをライトバルブとして用いたプロジェクタについて説明する。図２０は、プロジェクタの構成例を示す平面図である。
この図に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００９２】
液晶パネル１１１０Ｒ、１１１０Ｂおよび１１１０Ｇの構成は、上述した液晶パネル１００と同等であり、画像信号処理回路（図示省略）から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００９３】
ところで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。そこで、図示せぬタイミングジェネレータ２００から液晶パネル１１１０Ｒ、１１１０Ｂには正極性のＸスタートパルスＳＰＸを供給する一方、液晶パネル１１１０Ｇには負極性のＸスタートパルスＳＰＸを供給するようにすればよい。
【００９４】
さらに、プロジェクタ１１００は、床に設置して使用することもあれば、天井に設置することもある。プロジェクタ１１００の操作スイッチや冷却ファンの排気口はその上部に設けられているため、天井にプロジェクタ１１００を取り付ける場合には、その上部を床に向けて設置する必要がある。この場合には、上下・左右が反転された画像がスクリーンに表示されてしまう。
【００９５】
そこで、このプロジェクタ１１００は、取り付け状態を検出するセンサを備えている。そして、タイミングジェネレータ２００（図示略）は、このセンサの出力信号に基づいて、Ｘシフト方向選択信号ｄｉｒｘおよびＹシフト方向選択信号ｄｉｒｙを生成している。これにより、設置状態に応じて、ＸスタートパルスＳＰＸおよびＹスタートパルスＳＰＹの極性が定まるから、各液晶パネル１１１０Ｒ、１１１０Ｂ、液晶パネル１１１０Ｇに上下・左右を反転した画像を必要に応じて形成し、正常な画像をスクリーンに表示することが可能となる。
【００９６】
＜その２：ビデオ一体型カメラ＞
次に、この液晶パネルを、ビデオ一体型カメラに適用した例について説明する。図２１は、ビデオ一体型カメラの構成を示す斜視図である。図において、ビデオ一体型カメラ１２００は、レンズ１２０２を備えた本体部１２０４と、液晶表示ユニット１２０６と、連結部１２０８から構成されている。この液晶表示ユニット１２０６は、先に述べた液晶パネル１００の背面にバックライトを付加することにより構成されている。
【００９７】
連結部１２０８は、液晶表示ユニット１２０６を本体部１２０４と回動自在に連結している。したがって、利用者は、液晶表示ユニット１２０６の表示面を被写体側に向けることも（図示の状態）、これを反転させることも可能である。転結部１２０８を中心軸として、液晶表示ユニット１２０６を図中矢印の方向に１８０度回転させると、表示面が上下・左右に反転する。したがって、正常な画像を表示するためには、上下・左右を反転して表示する必要がある。
【００９８】
連結部１２０８には、液晶表示ユニット１２０６の表示面が被写体側を向いているか撮影者側を向いているかを検出するセンサが設けられている。タイミングジェネレータ２００（図示略）は、このセンサの出力信号に基づいて、Ｘシフト方向選択信号ｄｉｒｘおよびＹシフト方向選択信号ｄｉｒｙを生成している。これにより、液晶表示ユニット１２０６の表示面が向いている方向に応じて、ＸスタートパルスＳＰＸおよびＹスタートパルスＳＰＹの極性が定まり、上下・左右を反転して表示することが可能となる。
【００９９】
＜その３：携帯電話＞
さらに、この液晶パネル１００を、携帯電話に適用した例について説明する。図２２は、この携帯電話の構成を示す斜視図である。図において、携帯電話１３００は、複数の操作ボタン１３０２とともに、反射型の液晶パネル１３０５を備えるものである。また、操作ボタン１３０３は、上下・左右反転表示を指示するために用いられる。例えば、利用者と友人が机を挟んで座っているときに、利用者が電子メールを携帯電話１３０５で受信したとき、電子メールの内容は液晶パネル１３０５に表示される。この場合に、利用者が操作ボタン１３０３を押すと、液晶パネル１３０５には電子メールの内容が上下・左右反転して表示される。利用者は友人に携帯電話１３００を差し出すことによって、友人は容易に電子メールの内容を読むことができる。
【０１００】
なお、図２０〜図２２を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、POS端末、タッチパネルを備えた装置等などが挙げられる。そして、これらの各種電子機器に適用可能なのは言うまでもない。
【０１０１】
【発明の効果】
以上説明したように本発明によれば、双方向に駆動可能で、且つ、少ない信号数で動作することができるシフトレジスタを用いた駆動回路、駆動方法、電気光学パネル、電子機器等を提供することができる。
【図面の簡単な説明】
【図１】  本発明の実施形態に係る液晶表示装置の全体構成を示すブロック図である。
【図２】  Ｘスタートパルス生成回路２１０の構成を示すブロック図である。
【図３】  Ｘスタートパルス生成回路２１０の各部の波形を示すタイミングチャートである。
【図４】  同装置のデータ線駆動回路１３０の構成を示すブロック図である
【図５】  シフト方向選択部１３１の第１構成例を示すブロック図である。
【図６】  図５に示すシフト方向選択部１３１の動作を示すタイミングチャートである。
【図７】  シフト方向選択部１３１の第１構成例を示すブロック図である。
【図８】  クロックドインバータＩＮＶＡおよびＩＮＶＢの回路図である。
【図９】  クロックドインバータＩＮＶＣおよびＩＮＶＤの回路図である。
【図１０】  インバータ１３２３の構成を示す回路図である。
【図１１】  ＸスタートパルスＳＰＸの極性が正極性である場合におけるデータ線駆動回路１３０の等価回路を示すブロック図である。
【図１２】  図１１に示すデータ線駆動回路１３０の動作を示すタイミングチャートである。
【図１３】  ＸスタートパルスＳＰＸの極性が負極性である場合におけるデータ線駆動回路１３０の等価回路を示すブロック図である。
【図１４】  図１３に示すデータ線駆動回路１３０の動作を示すタイミングチャートである。
【図１５】  走査線駆動回路１５０の構成を示すブロック図である。
【図１６】  液晶パネル１００の構造を示す斜視図である。
【図１７】  液晶パネル１００の構造を説明するための一部断面図である。
【図１８】  応用例に係わるデータ線駆動回路１３０’の構成を示すブロック図である。
【図１９】  図１８に示すデータ線駆動回路１３０’の動作を示すタイミングチャートである。
【図２０】  同液晶表示装置を適用した電子機器の一例たるプロジェクタの構成を示す断面図である。
【図２１】  同液晶表示装置を適用した電子機器の一例たるビデオ一体型カメラの構成を示す斜視図である。
【図２２】  同液晶表示装置を適用した電子機器の一例たる携帯電話の構成を示す斜視図である。
【符号の説明】
１００……液晶パネル（電気光学パネル）
ＳＰＸ……Ｘスタートパルス（開始パルス）
ＳＰＹ……Ｙスタートパルス（開始パルス）
１２０……駆動回路
１３０……データ線駆動回路
１３１……シフト方向選択部
１３２……双方向シフトレジスタ部（シフト部）
１３３……論理演算部
Ｒ０〜Ｒｍ……転送単位回路
ＤＩＲ１……第１シフト方向選択信号（第１制御信号）
ＤＩＲ２……第２シフト方向選択信号（第２制御信号）
１１２……走査線
１１４……データ線
１５０……走査線駆動回路
ＣＬＸ、ＣＬＹ……クロック信号
ＣＬＸINV、ＣＬＹINV……反転クロック信号
ＩＮＶＡ〜ＩＮＶＤ……クトックドインバータ（第１〜第４インバータ）
ＶＩＤ……入力画像信号
２１０……Ｘスタートパルス生成回路
【図１】
0003903736.tif 000002
【図２】
0003903736.tif 000003
【図３】
0003903736.tif 000004
【図４】
0003903736.tif 000005
【図５】
0003903736.tif 000006
【図６】
0003903736.tif 000007
【図７】
0003903736.tif 000008
【図８】
0003903736.tif 000009
【図９】
0003903736.tif 000010
【図１０】
0003903736.tif 000011
【図１１】
0003903736.tif 000012
【図１２】
0003903736.tif 000013
【図１３】
0003903736.tif 000014
【図１４】
0003903736.tif 000015
【図１５】
0003903736.tif 000016
【図１６】
0003903736.tif 000017
【図１７】
0003903736.tif 000018
【図１８】
0003903736.tif 000019
【図１９】
0003903736.tif 000020
【図２０】
0003903736.tif 000021
【図２１】
0003903736.tif 000022
【図２２】
0003903736.tif 000023